(57)【要約】【課題】コスト削減及び使用性の向上を図ることのできる空気調和機を提供する。【解決手段】室内の空気を調和して送出する本体部２と、本体部２と通信して本体部２の動作を指示するリモートコントローラ１０とを備え、本体部２またはリモートコントローラ１０に設けた表示部８に故障情報を表示する故障情報表示モードを有した空気調和機１において、リモートコントローラ１０は本体部２の空気調和を開始する第１操作部１１と、駆動された本体部２の運転状態を可変する複数の操作キー２２、２３、２４から成る第２操作部２１とを有し、第２操作部２１が所定の操作回数を連続して操作された際に故障情報表示モードに切り替える。【選択図】図１
2009092275.tif 000002
【特許請求の範囲】
【請求項１】
室内の空気を調和して送出する本体部と、前記本体部と通信して前記本体部の動作を指示するリモートコントローラとを備え、前記本体部または前記リモートコントローラに設けた表示部に故障情報を表示する故障情報表示モードを有した空気調和機において、前記リモートコントローラは前記本体部の空気調和を開始する第１操作部と、駆動された前記本体部の運転状態を可変する複数の操作キーから成る第２操作部とを有し、第２操作部が所定の操作回数を連続して操作された際に前記故障情報表示モードに切り替えることを特徴とする空気調和機。
【請求項２】
同一の前記操作キーが前記操作回数を連続して操作された際に前記故障情報表示モードに切り替えることを特徴とする請求項１に記載の空気調和機。
【請求項３】
前記操作キーが前記操作回数を操作される時間が所定時間を超えた際に前記操作回数の計数を初期化することを特徴とする請求項２に記載の空気調和機。
【請求項４】
前記操作キーの操作間隔が所定時間を超えた際に前記操作回数の計数を初期化することを特徴とする請求項２または請求項３に記載の空気調和機。
【請求項５】
前記故障情報表示モードに切替え後、第１操作部を操作すると前記故障情報表示モードを終了することを特徴とする請求項１〜請求項４のいずれかに記載の空気調和機。
【請求項６】
前記故障情報表示モードに切替え後、所定時間経過後に第２操作部を操作すると前記故障情報表示モードを終了することを特徴とする請求項１〜請求項５のいずれかに記載の空気調和機。
【請求項７】
前記故障情報表示モードに切替え前後で第２操作部の操作音が異なることを特徴とする請求項１〜請求項６のいずれかに記載の空気調和機。
【請求項８】
前記故障情報表示モードに切替え前に第２操作部の操作音を発するとともに、前記故障情報表示モードに切替えた後に第２操作部の操作音を停止したことを特徴とする請求項１〜請求項６のいずれかに記載の空気調和機。
【発明の詳細な説明】
【技術分野】
【０００１】
本発明は、故障情報を表示できる空気調和機に関する。
【背景技術】
【０００２】
従来の空気調和機は特許文献１に開示されている。この空気調和機は本体部及びリモートコントローラを備えている。本体部は室内の空気を調和して送出する。リモートコントローラは本体部と通信して本体部の動作を指示する。本体部には空気調和機の故障情報を表示できる表示部が設けられる。
【０００３】
リモートコントローラには点検スイッチが設けられる。点検スイッチの操作を行うと空気調和機の故障診断が行われ、故障情報が表示部に表示される。これにより、使用者が故障発生時に診断を行って故障情報を容易に判別することができる。従って、サービスマンに対して訪問前に容易に故障状況を伝えることができ、迅速に修理することができる。
【０００４】
【特許文献１】特開平１０−１８５２７５号公報（第２頁−第４頁、第１図）
【特許文献２】特開平５−１５７３１３号公報（第２頁−第３頁、第１図）
【発明の開示】
【発明が解決しようとする課題】
【０００５】
しかしながら、上記従来の空気調和機によると、リモートコントローラに故障情報の表示を指示する点検スイッチが別途設けられる。これにより、部品点数が増加するとともに、リモートコントローラが大きくなる。このため、空気調和機のコストが増加するとともに使用性が悪くなる問題があった。
【０００６】
本発明は、コスト削減及び使用性の向上を図ることのできる空気調和機を提供することを目的とする。
【課題を解決するための手段】
【０００７】
上記目的を達成するために本発明は、室内の空気を調和して送出する本体部と、前記本体部と通信して前記本体部の動作を指示するリモートコントローラとを備え、前記本体部または前記リモートコントローラに設けた表示部に故障情報を表示する故障情報表示モードを有した空気調和機において、前記リモートコントローラは前記本体部の空気調和を開始する第１操作部と、駆動された前記本体部の運転状態を可変する複数の操作キーから成る第２操作部とを有し、第２操作部が所定の操作回数を連続して操作された際に前記故障情報表示モードに切り替えることを特徴としている。
【０００８】
この構成によると、リモートコントローラは複数の操作キー等によって第１、第２操作部が設けられる。第１操作部は暖房や冷房等の空気調和の開始を指示し、第２操作部は温度切替えや風向等を指示して本体部の運転状態を可変する。第２操作部が所定の操作回数だけ連続して操作されると故障情報表示モードに切り替えられ、表示部に故障情報が表示される。
【０００９】
また上記構成の空気調和機において、同一の前記操作キーが前記操作回数を連続して操作された際に前記故障情報表示モードに切り替えるようにしてもよい。この構成によると、第２操作部の同一の操作キーが所定の操作回数だけ連続して操作されると故障情報表示モードに切り替えられ、表示部に故障情報が表示される。
【００１０】
また上記構成の空気調和機において、前記操作キーが前記操作回数を操作される時間が所定時間を超えた際に前記操作回数の計数を初期化してもよい。この構成によると、第２操作部の操作キーが所定時間内に所定の操作回数だけ連続して操作されると故障情報表示モードに切り替えられる。第２操作部の操作キーが所定時間内に所定の操作回数操作されない場合は操作回数の計数が初期化され、１回目から計数される。
【００１１】
また上記構成の空気調和機において、前記操作キーの操作間隔が所定時間を超えた際に前記操作回数の計数を初期化してもよい。この構成によると、第２操作部の操作キーの連続した２回の操作間隔が所定時間内で行われ、所定の操作回数だけ連続して操作されると故障情報表示モードに切り替えられる。第２操作部の操作キーの連続した２回の操作間隔が所定時間を超えると操作回数の計数が初期化され、１回目から計数される。
【００１２】
また上記構成の空気調和機において、前記故障情報表示モードに切替え後、第１操作部を操作すると前記故障情報表示モードを終了してもよい。この構成によると、故障情報表示モードに切替えた後、第１操作部が操作されるまでは故障情報表示モードが継続され、第１操作部が操作されると故障情報表示モードが終了する。
【００１３】
また上記構成の空気調和機において、前記故障情報表示モードに切替え後、所定時間経過後に第２操作部を操作すると前記故障情報表示モードを終了してもよい。この構成によると、故障情報表示モードに切替えた後、所定時間内に第２操作部を操作すると故障情報表示モードが継続され、所定時間が経過後に第２操作部を操作すると故障情報表示モードが終了する。
【００１４】
また上記構成の空気調和機において、前記故障情報表示モードに切替え前後で第２操作部の操作音が異なるようにしてもよい。この構成によると、使用者は操作音が異なったことにより故障情報表示モードに切り替わったことを知ることができる。
【００１５】
また上記構成の空気調和機において、前記故障情報表示モードに切替え前に第２操作部の操作音を発するとともに、前記故障情報表示モードに切替えた後に第２操作部の操作音を停止してもよい。この構成によると、使用者は操作音が停止したことにより故障情報表示モードに切り替わったことを知ることができる。
【発明の効果】
【００１６】
本発明によると、本体部の運転状態を可変する第２操作部が所定の操作回数を連続して操作された際に故障情報表示モードに切り替えるので、別途操作キーを設ける必要がなく部品点数を削減するとともにリモートコントローラを小型化することができる。従って、空気調和機のコスト削減及び使用性の向上を図ることができる。
【発明を実施するための最良の形態】
【００１７】
以下に本発明の実施形態を図面を参照して説明する。図１は一実施形態の空気調和機の概略を示す斜視図である。空気調和機１は室内に配される室内機３及び室外に配される室外機４から成る本体部２を有している。本体部２は冷凍サイクルを運転し、室内の空気を調和して送出する。
【００１８】
室内機３の前面の一端にはリモートコントローラ１０（図２参照）と通信を行う通信部９が設けられる。室内機３の前面の中央部には液晶パネル等から成る表示部８が設けられる。
【００１９】
図２はリモートコントローラ１０の平面図を示している。リモートコントローラ１０は上部に表示パネル１８を有し、表示パネル１８の下方に複数の操作キーから成る第１、第２操作部１１、２１が設けられる。第１操作部１１は自動キー１２、暖房キー１３、冷房キー１４、除湿キー１５を有し、本体部２による空気調和の開始を指示する。
【００２０】
自動キー１２は室内温度に応じて冷暖房を判別して運転する自動運転の開始を指示する。暖房キー１３は暖房運転の開始を指示する。冷房キー１４は冷房運転の開始を指示する。除湿キー１５は除湿運転の開始を指示する。
【００２１】
第２操作部２１は停止キー２２、温度調節キー２３、湿度調節キー２４等を有し、本体部２の運転状態を可変する。停止キー２２は空気調和の停止を指示する。温度調節キー２３は室内温度の変更を指示する。湿度調節キー２４は室内の湿度の変更を指示する。
【００２２】
図３は空気調和機１の構成を示すブロック図である。室内機３には本体部２の各部を制御する制御部５が設けられる。制御部５には室内送風機６、風向板７、表示部８、通信部９、温度センサ４１、４２、圧縮機３１、室外送風機３２が接続される。室内送風機６、風向板７、表示部８、通信部９、温度センサ４１は室内機３に設けられる。温度センサ４２、圧縮機３１、室外送風機３２は室外機４に設けられる。
【００２３】
室内送風機６は室内に調和空気を送出する。風向板７は室内に送出される空気の風向を可変する。圧縮機３１は室内機３に配される室内熱交換器（不図示）及び室外機４に配される室外熱交換器（不図示）に接続され、冷凍サイクルを運転する。室内の空気が室内熱交換器と熱交換することにより調和空気が生成される。室外送風機３２は室外熱交換器と外気との熱交換を促進させる。温度センサ４１、４２はそれぞれ室内熱交換器及び室外熱交換器の温度を検知する。
【００２４】
リモートコントローラ１０にはリモートコントローラ１０の各部を制御する制御部１６が設けられる。制御部１６には表示パネル１８、第１、第２操作部１１、２１、通信部１７、温度センサ４３、湿度センサ４４が接続される。温度センサ４３は室内温度を検知する。湿度センサ４４は室内の湿度を検知する。通信部１７は本体部２の通信部９と通信を行う。通信部１７により第１、第２操作部１１、２１による指示や、温度センサ４３及び湿度センサ４４の検知結果の送信等を行う。
【００２５】
上記構成の空気調和機１は所定の操作によって本体部２の故障状況を診断して故障情報を表示部８に表示する故障表示モードを備えている。図４は故障表示モードに切り替える動作を示すフローチャートである。ステップ＃１１では空気調和の運転が停止されているか否かが判断される。空気調和の運転が継続している場合は停止するまで待機する。空気調和の運転が停止されているとステップ＃１２に移行する。
【００２６】
ステップ＃１２では停止キー２２が操作されたか否かが判断される。本実施形態では停止キー２２が故障表示モードの切り替え用に割り当てられている。尚、故障表示モードの切り替え用に第２操作部２１の他の操作キーを割り当ててもよいし、第２操作部２１の複数の操作キーに割り当ててもよい。そして、停止キー２２が操作されるまでステップ＃１１、＃１２が繰り返し行われる。
【００２７】
停止キー２２が操作されるとステップ＃１３に移行し、例えば、「ピッ」と鳴る第１操作音が報知される。本実施形態では、停止キー２２の操作によりリモートコントローラ１０の制御部１６から通信部１７を介して停止信号が送信される。通信部９を介して室内機３の制御部５が停止信号を受信すると、室内機３により第１操作音が報知される。室内機３とリモートコントローラ１０とが双方向通信可能な場合には、リモートコントローラ１０側で室内機３が停止信号を受信したことを確認できた際に、リモートコントローラ１０にて第１操作音を発してもよい。
【００２８】
ステップ＃１４では第２操作部２１の操作回数の計数が初期化され、操作回数を示すカウンタｉに「１」が代入される。ステップ＃１５では制御部１６に設けられた第１のタイマーによる時間Ｔ１の計時が開始される。ステップ＃２０では制御部１６に設けられた第２のタイマーによる時間Ｔ２の計時が開始される。
【００２９】
ステップ＃２１、＃２２ではいずれかの操作キーが操作されるまで待機する。停止キー２２以外の操作キーが操作された場合はステップ＃１１に戻る。停止キー２２が操作された場合はステップ＃２３でステップ＃１３と同じ第１操作音が報知される。
【００３０】
ステップ＃２４では第１のタイマーにより計時された時間Ｔ１が１５秒よりも大きいか否かが判断される。時間Ｔ１が１５秒よりも大きい場合はステップ＃１４に戻り、操作キー２２の操作回数の計数が初期化（ｉ＝１）される。ステップ＃２５では第２のタイマーにより計時された時間Ｔ２が５秒よりも大きいか否かが判断される。時間Ｔ２が５秒よりも大きい場合はステップ＃１４に戻り、操作キー２２の操作回数の計数が初期化（ｉ＝１）される。
【００３１】
時間Ｔ１が１５秒以下且つ時間Ｔ２が５秒以下の場合はステップ＃２６に移行してカウンタｉがインクリメントされる。ステップ＃２７ではカウンタｉが５回になったか否かが判断される。ステップ＃２７で判断するカウンタｉの値から成る操作回数は５回でなくてもよく、予め決められた所定の操作回数であればよい。
【００３２】
カウンタｉが５回になっていない場合はステップ＃２０に移行し、第２のタイマーの計時による時間Ｔ２が初期化される。即ち、時間Ｔ２は連続した停止キー２２の操作間隔を計時する。また、時間Ｔ１はカウンタｉが１回目となる停止キー２２の操作からの経過時間を計時する。そして、ステップ＃２０〜＃２７が繰り返し行われる。
【００３３】
カウンタｉが５回になるとステップ＃２８に移行して故障表示モードに切り替えられる。これにより、各電装部品の導通検査や温度センサ４１、４２による異常高温の検査が行われ、表示部８（図１参照）に故障情報が表示される。あるいは、運転中の故障情報（例えば、圧縮機の回転異常、圧縮機を駆動中に生じた過電流異常等）を記憶する記憶素子（例えば、ＥＥＰＲＯＭ、フラッシュメモリ等の不揮発性の記憶素子）が設けられ、記憶素子に記憶されていた故障情報が表示部８に表示される。尚、制御部５がフラッシュマイコンである場合には、フラッシュマイコンのメモリ領域に運転中の故障情報を記憶させてもよい。
【００３４】
これにより、使用者が故障発生時に診断を行って故障情報を容易に判別することができる。従って、使用者はサービスマンに対して訪問前に容易に故障状況を伝えることができ、迅速に修理することができる。
【００３５】
図５は故障表示モードを解除する動作を示すフローチャートである。故障表示モード中はステップ＃３１で第２操作部２１の操作が行われたか否かが判断される。第２操作部２１の操作が行われていない場合はステップ＃３４に移行し、第１操作部１１の操作が行われたか否かが判断される。第１操作部１１の操作が行われていない場合はステップ＃３１に戻り、ステップ＃３１、＃３４が繰り返し行われる。
【００３６】
第２操作部２１の操作が行われるとステップ＃３２に移行する。ステップ＃３２では故障表示モードに切り替えられてからの経過時間が所定時間（例えば３０秒）を経過したか否かが判断される。故障表示モードに切り替えられてから所定時間が経過した場合はステップ＃３５に移行する。
【００３７】
故障表示モードに切り替えられてから所定時間が経過していない場合はステップ＃３３に移行する。ステップ＃３３では前述の図４に示すステップ＃１３、＃２３の第１操作音とは異なり、例えば、「ピー」と鳴る第２操作音が報知される。これにより、使用者は停止キー２２を連続して所定の操作回数より多く（本実施形態では６回以上）操作した際に既に故障表示モードに切り替えられたことを容易に認知することができる。ステップ＃３３を省いて操作音を報知させないようにしてもよい。このようにしても同様に、使用者が故障表示モードに切り替えられたことを容易に認知することができる。
【００３８】
第２操作音が報知されるとステップ＃３４に移行する。ステップ＃３４の判断により第１操作部１１が操作されていない場合はステップ＃３１に移行する。第１操作部１１による操作が行われた場合はステップ＃３５に移行する。ステップ＃３５では故障表示モードが解除され、表示部８の故障情報の表示が消される。
【００３９】
即ち、第１操作部１１または第２操作部２１の操作によって故障表示モードの解除が可能となっている。しかしながら、故障表示モードに切り替えられてから所定時間が経過していない場合は第２操作部２１を操作しても故障表示モードが解除されない。従って、使用者が停止キー２２を連続して６回以上操作しても故障表示モードが解除されない。このため、使用者がすばやく停止キー２２を操作して操作回数が６回以上になってしまっても、故障表示が継続される。これにより、故障表示を確認する間もなく故障表示モードが解除されてしまう不具合を防止することができる。
【００４０】
本実施形態によると、室内機３とリモートコントローラ１０とが通信可能な状態で本体部２の運転状態を可変する第２操作部２１の停止キー２２が所定の操作回数（上記例では５回）を連続して操作された際に故障情報表示モードに切り替える。このため、故障情報表示モードに切り替えるための操作キーを別途設ける必要がない。従って、部品点数を削減できるとともにリモートコントローラ１０を小型化することができ、空気調和機１のコスト削減及び使用性の向上を図ることができる。
【００４１】
また、空気調和を開始する第１操作部１１の操作によって故障情報表示モードに切り替えられない。このため、第１操作部１１が連続操作されるか否かを判断するために待機する必要がなく、迅速に空気調和を開始することができる。
【００４２】
尚、第２操作部２１の複数の操作キーを連続して操作した際に故障情報表示モードに切り替えるようにしてもよい。これにより、容易に故障情報表示モードに切り替えることができる。この時、工場出荷時の設定によって複数の操作キーを特定の順序で操作させてもよいが、使用者による任意の順序の操作により故障情報表示モードに切り替わるとより望ましい。
【００４３】
例えば、ある使用者が湿度調節キー２４を２回、温度調節キー２３を２回、停止キー２２を１回の計５回操作すると故障情報表示モードに切り替わる。また、別の使用者が湿度調節キー２４を３回、温度調節キー２３を２回、の計５回操作しても故障情報表示モードに切り替わる。
【００４４】
この場合においても、本実施形態と同様に同一の操作キーを連続操作すれば故障情報表示モードに切り替えることができる。同一の操作キーの連続操作や複数の操作キーの任意の順序による連続操作によって切替え操作を更に容易にでき、空気調和機１の利便性をより向上できる。
【００４５】
また、停止キー２２が所定の操作回数（５回）を操作されるまでの時間Ｔ１が所定時間（上記例では１５秒）を超えた際に操作回数の計数が初期化（ｉ＝１）される。これにより、長い時間を挟んだ複数回の停止キー２２の操作が連続した操作とみなされない。従って、意図に反した故障情報表示モードへの切り替えを防止することができる。
【００４６】
また、停止キー２２の操作間隔の時間Ｔ２が所定時間（上記例では５秒）を超えた際に操作回数の計数が初期化（ｉ＝１）される。これにより、上記と同様に、長い時間を挟んだ２回の操作キーの操作が連続した操作とみなされない。従って、意図に反した故障情報表示モードへの切り替えを防止することができる。
【００４７】
また、故障情報表示モードに切替え後、第１操作部１１を操作すると故障情報表示モードを終了するので、迅速に通常の動作に移行させることができる。
【００４８】
また、故障情報表示モードに切替え後、所定時間経過後に第２操作部２１を操作すると故障情報表示モードを終了するので、故障情報表示モードに切替える際と同じ操作キーにより故障情報表示モードを終了することができる。従って、操作が使用者に解りやすくなる。また、故障情報表示モードに切替える操作回数（５回）を超過して第２操作部２１を連続操作し、故障情報表示モードが表示の確認する間もなく終了してしまう不具合を防止できる。従って、空気調和機１の使用性をより向上できる。
【００４９】
本実施形態において、故障情報を本体部２の表示部８に表示しているが、リモートコントローラと本体部２とで双方向通信可能であればリモートコントローラ１０の表示パネル１８に表示してもよい。この場合、室内機３からリモートコントローラ１０に向けて故障情報を送信すればよい。
【００５０】
また、図４のフローチャートのステップ＃２４、＃２５をステップ＃２１、＃２２の間に配置し、ステップ＃２４、＃２５の判断が真（ＹＥＳ）の場合の移行先をステップ＃１１、＃１２の間にしてもよい。これにより、停止キー２２の操作回数の計数は初期化され（この時点でカウンタｉは変化しない）、次の操作が行われた時点でステップ＃１４でカウンタｉに「１」が代入される。
【００５１】
また、空気調和運転の動作中に故障情報表示モードに切り替えられるようにしてもよい。この時、第２操作部２１の連続操作が所定時間内に行われると故障情報表示モードに移行する。連続操作が所定時間内に行われない場合は各操作キーに基づく動作が行われる。
【００５２】
また、本実施形態では室内機３に設けた制御部５により、室外機４に設けた圧縮機３１、室外送風機３２、温度センサ４２の制御や検知が行われる。室外機４にこれらの制御や検知を行う室外機制御部を設けてもよい。そして、室内機３の制御部５と室外制御部の間で通信が行われ、制御部５からの指示に基づいて室外制御部が圧縮機３１等の制御を行う。
【産業上の利用可能性】
【００５３】
本発明によると、故障情報を表示できる空気調和機に利用することができる。
【図面の簡単な説明】
【００５４】
【図１】本発明の実施形態の空気調和機の本体部を示す斜視図
【図２】本発明の実施形態の空気調和機のリモートコントローラを示す平面図
【図３】本発明の実施形態の空気調和機の構成を示すブロック図
【図４】本発明の実施形態の空気調和機の故障情報表示モードに切り替える動作を示すフローチャート
【図５】本発明の実施形態の空気調和機の故障情報表示モードを解除する動作を示すフローチャート
【符号の説明】
【００５５】
１    空気調和機
２    本体部
３    室内機
４    室外機
６    室内送風機
７    風向板
８    表示部
９、１７  通信部
１０    リモートコントローラ
１１    第１操作部
１２    自動キー
１３    暖房キー
１４    冷房キー
１５    除湿キー
２１    第２操作部
２２    停止キー
２３    温度調節キー
２４    湿度調節キー
３１    圧縮機
３２    室外送風機
【図１】
2009092275.tif 000003
【図２】
2009092275.tif 000004
【図３】
2009092275.tif 000005
【図４】
2009092275.tif 000006
【図５】
2009092275.tif 000007